(57)【要約】【課題】遊技機の基板ケース構造であって、正規な電子部品を実装した制御基板が外され、改造電子部品を実装した不正制御基板と付け替えられることを防止する。【解決手段】制御基板（１３）には締付ねじ孔（１３ａ、１３ｂ）間を導通する導電部（１４）と、各締付ねじ（１６ａ、１６ｂ）間への電圧発生手段と、締付ねじ孔（１３ａ、１３ｂ）間の導通が遮断されたことを検知する異常検知手段（１８）とを備え、制御基板（１３）がケース本体（１１）から外され、締付ねじ（１６ａ、１６ｂ）間の電圧が実質的に０「ゼロ」となった場合に異常検知手段（１８）から異常信号を発信する。【選択図】図４
2007267884.tif 000002
【特許請求の範囲】
【請求項１】
遊技に関する電子部品が実装された制御基板を収納し、少なくとも２つの締付ねじによって遊技機の取付ベースに取り付けられるケース本体と、該ケース本体に取り付けられるケースカバーとを備える、前記遊技機の基板ケース構造であって、前記制御基板には前記各締付ねじ間を導通する導電部と、前記各締付ねじ間への電圧発生手段と、前記各締付ねじ間の導通が遮断されたことを検知する異常検知手段とを備え、前記制御基板が前記ケース本体から外され、各締付ねじ間の電圧が実質的に０「ゼロ」となった場合に前記異常検知手段から異常信号を発信することを特徴とする遊技機の基板ケース構造。
【請求項２】
前記導電部が、前記制御基板上に、前記電子部品の回路に隣接してプリント配線されていることを特徴とする請求項１に記載の遊技機の基板ケース構造。
【発明の詳細な説明】
【技術分野】
【０００１】
本発明は、スロットマシンやパチンコ機などの遊技機に用いて好適な、遊技機の基板ケース構造に関する。
【背景技術】
【０００２】
スロットマシンやパチンコ機などの遊技機の筐体内には、遊技機の作動を制御する制御基板が設けられている。例えば、スロットマシンでは、その筐体内に、ＣＰＵ、ＲＯＭ、ＲＡＭなどの電子部品が実装された主制御基板が取り付けられ、主制御基板により、賞球やメダルの払出、電動役物の開閉、リールの回転、図柄組み合わせの発生確率などを制御している。また、本体筐体に開閉可能に取り付けられる前面パネル筐体内には、主制御基板からの信号を受ける電子部品が実装された副制御基板が取り付けられ、この副制御基板は、演出用スピーカ、演出用ランプなどの演出表示装置を制御している。主制御基板や副制御基板は各々、基板ケースに収納されている。基板ケースは、ケース本体とこのケース本体に蓋をするケースカバーからなっている。そして、正規な電子部品を実装した制御基板を収納している基板ケースは、締付ねじで遊技機の取付ベースに取り付けられた後、さらに締付ねじが「かしめ」られている。また、ＣＰＵ、ＲＯＭ、ＲＡＭなどの制御基板上の電子部品が、改造電子部品に差し替えられるような不正行為を防止するため、またケースカバーが不正に開かないように、さらにケースカバーが不正に開かれた場合はその痕跡が残るように、特殊ねじや封印シールで封印されている（例えば、特許文献１参照）。
【０００３】
【特許文献１】特開２０００−１４９０７号公報
【発明の開示】
【発明が解決しようとする課題】
【０００４】
しかしながら、特許文献１に提案された技術によっても、「かしめ」た締付ねじを千切って、正規な電子部品を実装した制御基板を収納している基板ケースが外され、改造電子部品を実装した制御基板と付け替えられることがある。このようなことがあると、不正に賞球やメダルの払い出しがされ、遊技店は多くの損失を被ることになる。
【０００５】
本発明は上記課題に鑑みてなされたものであり、遊技に関する電子部品が実装された制御基板を収納し、締付ねじによって遊技機の取付ベースに取り付けられているケース本体と、該ケース本体に取り付けられるケースカバーとを備える、遊技機の基板ケース構造であって、正規な電子部品を実装した制御基板が外され、改造電子部品を実装した不正制御基板と付け替えられることを防止し得る、遊技機の基板ケース構造を提供することを目的とする。
【課題を解決するための手段】
【０００６】
本発明者らは、上記課題について鋭意研究した。その結果、制御基板には各締付ねじ孔間を導通する導電部と、各締付ねじ間への電圧発生手段と、各締付ねじ間の導通が遮断されたことを検知する異常検知手段とを備え、制御基板が前記ケース本体から外され、各締付ねじ間の電圧が実質的に０「ゼロ」となった場合に異常検知手段から異常信号を発信するようにすることで、上記課題が解決できるとの知見を得、本発明に想到した。
【０００７】
すなわち、本発明は、遊技に関する電子部品が実装された制御基板を収納し、少なくとも２つの締付ねじによって遊技機の取付ベースに取り付けられるケース本体と、該ケース本体に取り付けられるケースカバーとを備える、前記遊技機の基板ケース構造であって、前記制御基板には前記各締付ねじ間を導通する導電部と、前記各締付ねじ間への電圧発生手段と、前記各締付ねじ間の導通が遮断されたことを検知する異常検知手段とを備え、前記制御基板が前記ケース本体から外され、各締付ねじ間の電圧が実質的に０「ゼロ」となった場合に前記異常検知手段から異常信号を発信することを特徴とする。
【０００８】
本発明において、前記導電部が、前記制御基板上に、前記電子部品の回路に隣接してプリント配線されていることが好ましい。
【発明の効果】
【０００９】
本発明によれば、正規な電子部品を実装した制御基板を収納している基板ケースが外され、改造電子部品を実装した制御基板を収納している不正基板ケースと付け替えられるのが防止される。
【発明を実施するための最良の形態】
【００１０】
以下、実施の形態の一例について、図１乃至図４に基づき詳細に説明する。
【００１１】
図１は、実施の形態の一例のスロットマシンＳＭの外部構造を示す斜視図、図２は、図１のスロットマシンＳＭの内部構造を示す斜視図である。
【００１２】
図１で、スロットマシンＳＭは、箱形形状の本体筐体ＢＸＲと、遊技者に面し、本体筐体ＢＸＲに開閉可能に取り付けられる前面パネル筐体ＢＸＬとを備えている。前面パネル筐体ＢＸＬは、金属製のフレームに硬質プラスチックなどで成形された前面パネルが取り付けられた強固な構造を有し、この前面パネルは、上部パネル部ＵＰＮと中間パネル部ＭＰＮと下部パネル部ＤＰＮとで構成されている。
【００１３】
上部パネル部ＵＰＮには、演出用ランプＬＰと、スピーカＳＰ１が取り付けられる放音部と、クレジット枚数を表示するＬＥＤと大当たりなどを表示するランプ類が実装された中央表示部ＭＤＰが設けられている。
【００１４】
また、中間パネル部ＭＰＮには、略長方形のリール表示窓ＦＷを持つ透明液晶が実装された液晶表示パネルを備えている。液晶表示パネルは、薄膜トランジスタ層が形成されたガラス板などの透明基板と、これに対向する透明な基板間に液晶が封入され、表示面側に光が透過すると、透過した光が外部から視認され、液晶を駆動していなくてもリール表示窓ＦＷを介して回胴リールＲ１、Ｒ２、Ｒ３が視認できるようになっている。中間パネル部ＭＰＮの下端には操作卓ＴＢが設けられ、この操作卓ＴＢには１ゲーム当たりのメダル数を提示するためのベットボタンＢＥＴと、遊技者が遊技用メダルを投入するためのメダル投入部ＭＤと、１ゲームの開始を指示するためのスタートレバーＳＬと、回転中の回胴リールＲ１、Ｒ２、Ｒ３を個別に停止させるための３個のストップボタンＳＴＰが設けられている。
【００１５】
下部パネル部ＤＰＮには、スロットマシンＳＭのゲーム内容に関連した画像が描かれる表示部ＤＰＬと、遊技者の獲得したメダルを払い出すためのメダル払出口ＭＥＸおよび受皿ＴＵと、スピーカＳＰ２が設けられている。
【００１６】
次に、図２により、スロットマシンＳＭの本体筐体ＢＸＲと前面パネル筐体ＢＸＬの内部構造について説明する。図２で、本体筐体ＢＸＲ内には、主電源装置ＰＷＵと、ホッパ装置ＨＰから溢れた遊技用メダルを収容するための補助ホッパ装置ＳＨＰと、前面パネル筐体ＢＸＬ側のリール表示窓ＦＷに対向する３個の回胴リールＲ１、Ｒ２、Ｒ３と、主制御基板（図示せず）を収納した主基板ケースＭＢＣが設けられている。主制御基板には、ＲＯＭなどの電子部品が実装され、スロットマシンＳＭの主な動作を制御している。
【００１７】
前面パネル筐体ＢＸＬ内の上部パネルＵＰＮには、上部パネルベースＵＰＢに、副制御基板（図示せず）を収納した副基板ケースＳＢＣが設けられている。副制御基板には、主制御基板からの信号を受ける電子部品が実装され、演出用スピーカＳＰ１、図１での演出用ランプＬＰなどの演出表示装置を制御している。また、前面パネル筐体ＢＸＬ内には、その中間パネルＭＰＮ側に、回胴リールＲ１、Ｒ２、Ｒ３が外部から透視できるように開口した表示部ＦＷが設けられ、下部パネルＤＰＮ側に、投入されたメダルをホッパ装置ＨＰに導入する通路Ｇ１、払い出されるメダルを図１に示すメダル払出口ＭＥＸに導くメダル通路Ｇ２、スピーカＳＰ２などが設けられている。
【００１８】
次に、図３および図４（ａ）（ｂ）により、本体筐体ＢＸＲ内の主基板ケースＭＢＣの構造について説明する。
【００１９】
図３は、図１および図２のスロットマシンＳＭでの、主基板ケースＭＢＣの取付側から見た分解斜視図である。図４（ａ）は、図１および図２のスロットマシンＳＭでの、主基板ケースＭＢＣの取り付け状態の断面模式図、図４（ｂ）は、異常検知手段ほかの模式図である。
【００２０】
図３および図４（ａ）で、主基板ケースＭＢＣは、主制御基板１３を位置決めして収納するケース本体１１と、このケース本体１１を覆うケースカバー１２を備え、ケース本体１１が、本体筐体ＢＸＲの背面側のパネル（省略）に、締付ねじ１５によって取り付けられている。ケース本体１１には、締付ねじ１６ａ〜１６ｄが螺合する雌ねじ１１ａ〜１１ｄが設けられている。主制御基板１３には、ケース本体１１の雌ねじ１１ａ〜１１ｄと同じ位置に、各締付ねじ１６ａ〜１６ｄの挿通孔１３ａ〜１３ｄが設けられている。ケースカバー１２にも、各締付ねじ１６ａ〜１６ｄの挿通孔１２ｂ〜１２ｄが設けられている。また、ケース本体１１には、ヒンジ部１１ｅとフック部１１ｆが形成され、ケースカバー１２には、ケース本体１１のヒンジ部１１ｅと係合してケースカバー１２を回動できるようにするヒンジ部１２ｅと、ケース本体１１のフック部１１ｆと係合して覆った後に引っ掛ける突起部１２ｆが形成されている。そして、本体筐体ＢＸＲにケース本体１１が取り付けられ、また主制御基板１３がケース本体１１に少なくとも２つの締付ねじ１６ｂ、１６ｃで取り付けられ、さらに特殊キャップ１７で、封印されるようになっている。
【００２１】
図４（ｂ）で、主制御基板１３には、挿通孔１３ａと挿通孔１３ｂ間を導通する導電部１４が、電子部品の回路に隣接して、電子部品の回路と同時にプリント配線されている。締付ねじ１６ａと締付ねじ１６ｂ間には電圧発生手段（図示せず）を備えている。また、挿通孔１３ａと挿通孔１３ｂ間の導通が遮断されたことを検知する異常検知手段１８を備えている。そして、主制御基板１３がケース本体１１から外され、各締付ねじ１６ｂ、１６ｃ間の電圧が０「ゼロ」となった場合には、異常検知手段１８から外部集中端子板１９を介して、ホールコンピュータＨＣに異常信号を発信するようにしている。
【００２２】
したがって、遊技機の裏側から封印を切ってケースカバー１２を開け、正規な電子部品を実装した主制御基板１３を不正に外して、改造電子部品を実装した不正制御基板と付け替えようとすると、オールコンピュータを経由して警報を出し、不正制御基板と付け替えられるのが防止されている。
【産業上の利用可能性】
【００２３】
以上の実施の形態においては、スロットマシンＳＭについて説明したが、本発明はこれに限定されず、パチンコ機ほかの遊技機、電気料金などのメータ機器その他、本発明の主旨の範囲で適用することが可能である。また、制御基板も主制御基板に限らず、副制御基板も、本発明の主旨の範囲で適用することが可能である。
【図面の簡単な説明】
【００２４】
【図１】実施の形態の一例のスロットマシンＳＭの外部構造を示す斜視図である。
【図２】図１のスロットマシンＳＭの内部構造を示す斜視図である。
【図３】図１および図２のスロットマシンＳＭでの、主基板ケースＭＢＣの取り付け状態の、本体筐体ＢＸＲの背面側から見た斜視図である。
【図４】図１および図２のスロットマシンＳＭでの、主基板ケースＭＢＣの取り付け状態の断面模式図である。
【符号の説明】
【００２５】
ＢＥＴ：ベットボタン
ＢＸＲ：本体筐体
ＢＸＬ：前面パネル筐体
ＤＰＬ：表示部
ＤＰＮ：下部パネル
ＦＷ：リール表示窓
Ｇ１：通路
ＨＣ：ホールコンピュータ
ＨＰ：ホッパ装置
ＬＰ：演出用ランプ
ＭＢＣ：主基板ケース
ＭＤ：メダル投入口
ＭＤＰ：中央表示部
ＭＥＸ：メダル払出口
ＭＰＮ：中間パネル
ＰＷＵ：主電源装置
Ｒ１、Ｒ２、Ｒ３：回胴リール
ＳＢＣ：主基板ケース
ＳＨＰ：補助ホッパ装置
ＳＬ：スタートレバー
ＳＭ：スロットマシン
ＳＰ１：スピーカ
ＳＰ２：スピーカ
ＳＴＰ：ストップボタン
ＴＢ：操作卓
ＴＵ：受皿
ＵＰＢ：上部パネルベース
ＵＰＮ：上部パネル
１１：ケース本体
１１ａ、１１ｂ：雌ねじ
１２：ケースカバー
１２ａ：挿通孔
１３：主制御基板
１３ａ〜１３ｄ：挿通孔
１４：導電部
１５：締付ねじ
１６ａ〜１６ｄ：締付ねじ
１７：特殊キャップ
１８：異常検知手段
１９：外部集中端子板
【図１】
2007267884.tif 000003
【図２】
2007267884.tif 000004
【図３】
2007267884.tif 000005
【図４】
2007267884.tif 000006